(57)【要約】      （修正有）【課題】従来形の保温力等はそのままに、プラスチック、スチール等のプレートを重ねてよろい式にとじたものを芯に入れ、落下物等の防護を強める。又、芯のみを使用する場合は、コンパクトになるため多くの人々の集合する場所又、バス等の大量の人間を運ぶ事等にも人数分十分に搭載することもできる折り畳み式ヘルメット。【解決手段】長方形の複数枚のプレート１を、一枚一枚各プレートに設けたかかり孔にかがり糸３を通してかがるので、よろいのうように重ねとじ曲がりやすく組み上げ頭になじみやすいように作り防災頭巾の芯材として、又は防災用ヘルメットとして使用できる。【選択図】図１
0003140395.tif 000002
【実用新案登録請求の範囲】
【請求項１】
長方形の複数枚のプレート１を一枚一枚各プレート１に設けたかかり孔１０ｈにかがり糸３を通してかがるのでよろいのように重ねとじ曲がりやすく組み上げ頭になじみやすいように作り防災頭巾の芯材として、又は防災用ヘルメットとして使用できる防災頭巾。
【請求項２】
複数枚のプレート１のうちープレート１の群と他のプレート１の群とが折り畳み可能となっている小さなスペースに収納可能な請求項１に記載の防災頭巾。
【請求項３】
プレート１は頭上から後頭部中央までに位置する中央プレート１１と左右両側端それぞれの後頭から側頭までに位置する左右一対のプレート１２と前記中央プレート１１および左右の端プレート１２間に位置する複数の一般プレート１０とからなり、となりあう各プレートの上辺と下辺とが重なりあっている請求項１又は２記載の防災頭巾。
【請求項４】
端プレート１２は一般プレート１０よりも厚く、かつあごひものフック２１を取り付けるためのフック孔１２Ｈが形成されている請求項１、２又は３記載の防災頭巾。
【請求項５】
中央プレート１１は正面視にて巾方向中央で折れ曲がると共に後頭部に位置するプレート１後方の両側辺に複数の切りこみ１１Ｃが設けられていることで側面視にて頭頂部から後頭部にかけてわん曲している請求項１ないし４のいずれかに記載の防災頭巾。
【請求項６】
請求項１ないし５のいずれかに記載の防災頭巾とこれを収容しうる収容ポケット４１を内側に備えた布頭巾４とからなる防災頭巾セット。
【考案の詳細な説明】
【０００１】  本考案は、防災頭巾としては、多く出回っているものとは異なり、防護補強用として、プレートを重ねとじた、よろい形の芯が入っている防災頭巾である。
【背景の技術】
【０００２】  従来の頭巾は、昔と言うか、戦時中には、防空頭巾として使用していた。音の衝撃から身を守ることも考えたと思われる。もちろん頭を守ることも考えていたと思うが、震災時に対しては少し弱いものと考える。
【考案の開示】
【考案が解決しようとする課題】
【０００３】  現在では、小中学校を中心に防災用として多く使用されているが、従来形は嵩張るという点が一つ又防災用としては少し弱い点がある。コンパクトに作り、防災上の弱点を改良する必要がある。
【課題を解決するための手段】
【０００４】  本考案は、従来形の物に防護補強用の芯を入れることによって防災については、強度を増すことができる。又この考案は、持ち運びに便利さを加えた。芯のみを防災用頭巾としても応用ができる、保管場所にも、又常備場所にも工夫を考えることもなく常備できる折り畳み式のヘルメットと言えるものである。具体的には、長方形の複数枚のプレート１を一枚一枚各プレート１に設けた、かがり孔１０ｈにかがり糸を通して、かがるので、よろいのように重ねとじ曲りやすく組み上げ、頭になじみやすいように作り防災頭巾の芯材として、又は防災用折り畳み式ヘルメットとして使用できる防災頭巾、複数のプレートのうち一つのプレート１の群と他のプレート１の群とが折り畳み可能となっているので、小さなスペースに集納可能な防災頭巾プレート１は頭頂から後頭部中央までに位置する、中央プレート１１と左右両側端それぞれの後頭から側頭までに位置する左右一対のプレート１２と、前記中央プレート１１および左右の端プレート１２間に位置する複数の一般プレート１０とからなり、となりあう各プレートの上辺と下辺とが重なりあっている、防災頭巾、端プレート１２は一般プレート１０よりも厚く、かつあごひものフック２１を取り付けるためのフック孔１２Ｈが形成されている防災頭巾、中央プレート１１は正面視にて巾方向、中央方向で折り曲るとともに後頭部に位置するプレート１後方の両側辺に複数の切り込み１１Ｃが設けられていることで、側面視にて頭頂部から後頭部にかけて、わん曲している防災頭巾折り畳み頭巾を収容するポケットを内側に備える防災頭巾セットである。
【考案の効果】
【０００５】  本考案は、従来形とちがって、落下物特にガラス破片等によって頭巾を通して刺さることは防げる、又芯のみを使用できることから、車等に搭載しても、場所を取ることもなく、人数分を十分に保管可能であり、バス、タクシー等にも人数分の常備可能である。
【考案を実施するための最良の形態】
【０００６】  本考案は、従来形のように、嵩張る頭巾は持ち運び又保管にも今一つつ考えを加えなければいけない点があること落下物対しても強度が弱い点もあるが、この考案は、持ち運びする時も又保管するにも、折り畳み式となっているので、スペースも少なく、札の横、手さげ袋の中に常備するにも最良であり、バス、タクシー等の多くの人を運ぶ営業車等にも、人数分十分な常備可能である。【０００７】  以下、本考案を実施するための最良の形態例を実施例として示す、各図と共に説明する。本考案の実施例１の防災頭巾について図１は、その部品構成を示す斜視分解説明図であり、図２はその前方斜視概観図であり、図３はその後方斜視概観図であり、図４はその側面図であり、５はその正面図視部分拡大図である。又図６は実施例１の防災頭巾を構成する複数枚のプレートの分解図であり、そして図７は実施例１の防災頭巾を中央プレート１１を境として二つに折り畳んだ収容状態を示す斜視説明図である。又８図は実施例１の防災頭巾と布頭巾と４からなる本考案の実施例１の防災頭巾セットを示す斜視説明図である。図９および図１０はこの実施例１の防災頭巾セットの正面視説明図及び側面視説明図である。以下各構成につき詳述する。プレート１は複数枚用意され隣り合う一枚一枚かがり糸３でかがって構成される。具体的には複数枚の一般プレート１０と一枚の中央プレート１１と左右二枚の端プレート１２との３種類で構成される。
一般プレート１０にはかがり孔１０ｈが複数個設けられる
端プレート１２にはあごひも２のフック２１をひっかけるための孔１２Ｈが設けられ    る
あごひも２にはフック２１と二又ひも２０又止め具２２との組い合わせで作られてい    る
フック２１を１２Ｈから取り外して布頭巾の芯として流用可能である
かがり糸３はとめ部３１から順次各プレート１０のかがり孔を通して閉じていく
布頭巾４は組み上げた芯を収容ポケット４１へポケット口４１Ｈを通して納める
くくりひも４２はあごひもである
【実施例】
【０００８】  以下添付図面に従って一実施例を説明する。保管する時は図７のように折り畳んであるので、札の横、その他手さげ袋の中等より取り出して早々に使用が可能である。嵩張ってないので、スムーズに装着できる、多くの人の集まる場所、バス、タクシー等、多くの人を運ぶ車にも人数分の常備が可能である。
【図面の簡単な説明】
【図１】  本考案の実施例１の防災頭巾を示す斜視分解説明図である。
【図２】  実施例１の防災頭巾の前方斜視概観図である。
【図３】  実施例１の防災頭巾の後方斜視概観図である。
【図４】  実施例１の防災頭巾の側面図である。
【図５】  実施例１の防災頭巾の正面視部分拡大図である。
【図６】  実施例１の防災頭巾を構成する複数枚のプレート１の分解図である。
【図７】  実施例１の防災頭巾を中央プレート１１を境として二つに折り畳んだ状態を示す収容状態の説明図である。
【図８】  本考案の実施例１の防災頭巾セットを示す斜視説明図である。
【図９】  図８に示す実施例１の防災頭巾セットの正面視説明図である。
【図１０】  図８に示す実施例１の防災頭巾セットの側面視説明図である。
【符号の説明】
１  プレート
１０  一般プレート
１０ｈ  かがり孔
１１  中央プレート
１１ｃ  切り込み
１２  端プレート
１２Ｈ  フック孔
２  あごひも
２０  二又ひも
２１  フック
２２  とめ具
３  かがり糸
３１  とめ部
４  布頭巾
４１  収容ポケット
４１Ｈ  ポケット口
４２  くくりひも
【図１】
0003140395.tif 000003
【図２】
0003140395.tif 000004
【図３】
0003140395.tif 000005
【図４】
0003140395.tif 000006
【図５】
0003140395.tif 000007
【図６】
0003140395.tif 000008
【図７】
0003140395.tif 000009
【図８】
0003140395.tif 000010
【図９】
0003140395.tif 000011
【図１０】
0003140395.tif 000012